(57)【特許請求の範囲】
【請求項１】
被検体の少なくとも一部の画像を生成する画像生成手段と、
前記画像に撮影範囲を設定する設定手段と、
前記撮影範囲を複数の部位に区分けする区分け手段と、
前記複数の部位の各々が、人体に含まれる複数の部位のうちのどの部位に対応するかを特定する特定手段と、
前記複数の部位の各々の線量指標を計算する計算手段と、
を有する医用装置。
【請求項２】
前記区分け手段が、前記撮影範囲を複数の部位に区分けするためのラインを設定する、請求項１に記載の医用装置。
【請求項３】
前記特定手段が、人体に含まれる複数の部位を表すリストから、前記撮影範囲に含まれる各部位に対応する部位を選択する、請求項１又は２に記載の医用装置。
【請求項４】
前記線量指標を含む線量レポートを作成するレポート作成手段を有する、請求項１〜３のうちのいずれか一項に記載の医用装置。
【請求項５】
前記線量レポートには、前記複数の部位の各々に対応する部位が略語で示されており、
前記レポート作成手段が、
前記略語と前記被検体の部位との関係を表す略語情報を生成する、請求項４に記載の医用装置。
【請求項６】
前記線量指標が、ＣＴＤＩvol（volume ＣＴＤＩ）、ＤＬＰ（Dose Length Product）を含む、請求項１〜５のうちのいずれか一項に記載の医用装置。
【請求項７】
前記複数の部位に区分けされた前記撮影範囲を表示する表示装置を有する、請求項１〜６のうちのいずれか一項に記載の医用装置。
【請求項８】
ユーザの操作に対応する操作信号を入力する入力装置を有する、請求項１〜７のうちのいずれか一項に記載の医用装置。
【請求項９】
前記設定手段が、前記ユーザの操作に応じて前記入力装置から入力された操作信号に応答して、前記画像に撮影範囲を設定する、請求項８に記載の医用装置。
【請求項１０】
前記区分け手段が、前記ユーザの操作に応じて前記入力装置から入力された操作信号に応答して、前記撮影範囲を複数の部位に区分けする、請求項８又は９に記載の医用装置。
【請求項１１】
前記特定手段が、前記ユーザの操作に応じて前記入力装置から入力された操作信号に応答して、前記複数の部位の各々が前記人体に含まれる複数の部位のうちのどの部位に対応するかを特定する、請求項８〜１０のうちのいずれか一項に記載の医用装置。
【請求項１２】
被検体の少なくとも一部の画像を生成する画像生成処理と、
前記画像に撮影範囲を設定する設定処理と、
前記撮影範囲を複数の部位に区分けする区分け処理と、
前記複数の部位の各々が、人体に含まれる複数の部位のうちのどの部位に対応するかを特定する特定処理と、
前記複数の部位の各々の線量指標を計算する計算処理と、
をプロセッサに実行させるためのプログラム。
【発明の詳細な説明】
【技術分野】
【０００１】
本発明は、放射線を用いて被検体の画像を取得する医用装置、および当該医用装置に適用されるプログラムに関する。
【背景技術】
【０００２】
被検体を非侵襲的に撮影する装置として、Ｘ線ＣＴ装置が知られている。Ｘ線ＣＴ装置は、短時間で被検体の画像を取得することができるので、様々な医療機関で導入されている。
【０００３】
Ｘ線ＣＴ装置で被検体のスキャンを行い、被検体の撮影が終了すると、被検体の被曝情報（線量指標）を含む線量レポートが作成される。Ｘ線ＣＴ装置は、線量レポートをサーバに送信する。サーバは線量レポートを受信し、管理する。
【０００４】
放射線技師は、被検体の撮影後であっても、必要に応じて、サーバから線量レポートをＸ線ＣＴ装置の操作コンソールにダウンロードすることができる。したがって、放射線技師は、線量レポートから、過去の撮影による被検体の被曝量を確認することができる。また、被検体が、過去に複数回のＸ線ＣＴ撮影を受けている場合は、放射線技師は、線量レポートから、過去に行われたＸ線ＣＴ撮影ごとの被検体の被曝量を確認することができるので、被検体の被曝量の時間的な遷移を認識することもできる。更に、被検体の被曝量を確認することにより、今回の撮影で被検体に許容される曝射量の目安を把握することもできる。
【０００５】
したがって、被検体の撮影ごとに作成された線量レポートを管理することは、適切な撮影条件で被検体の撮影を行うためにも重要である。
【先行技術文献】
【特許文献】
【０００６】
【特許文献１】特開２０１５−４３９７２号公報
【発明の概要】
【発明が解決しようとする課題】
【０００７】
放射線技師は、被検体の撮影を行う場合、スキャンを行う前に、被検体の撮影範囲を設定する。撮影範囲は、通常は、一つの部位だけでなく、複数の部位が含まれることも多い。例えば、頭部および頸部を含むように撮影範囲を設定したり、胸部および下腹部を含むように撮影範囲を設定することがある。この場合、線量レポートには、撮影範囲に含まれる複数の部位を一つの部位としてみた線量指標が表記されることになる。しかし、撮影範囲が被曝によって受ける影響は、実際には、撮影範囲に含まれるどの部位であっても同じというわけではなく、撮影範囲に含まれる部位ごとに異なる傾向がある。したがって、撮影範囲の全体の線量指標だけでなく、撮影範囲に含まれる部位ごとに線量指標を管理できることが望ましい。しかし、撮影範囲に複数の部位が含まれている場合、これまでの線量レポートでは、撮影範囲全体に対する線量指標を把握することはできるが、撮影範囲に含まれている部位ごとの線量指標を把握することはできないという問題がある。
そこで、撮影範囲内の部位ごとに線量指標を管理できる技術が望まれている。
【課題を解決するための手段】
【０００８】
本発明の第１の観点は、
被検体の少なくとも一部の画像を生成する画像生成手段と、
前記画像に撮影範囲を設定する設定手段と、
前記撮影範囲を複数の部位に区分けする区分け手段と、
前記複数の部位の各々が、人体に含まれる複数の部位のうちのどの部位に対応するかを特定する特定手段と、
前記複数の部位の各々の線量指標を計算する計算手段と、
を有する医用装置である。
【０００９】
本発明の第２の観点は、
被検体の少なくとも一部の画像を生成する画像生成処理と、
前記画像に撮影範囲を設定する設定処理と、
前記撮影範囲を複数の部位に区分けする区分け処理と、
前記複数の部位の各々が、人体に含まれる複数の部位のうちのどの部位に対応するかを特定する特定処理と、
前記複数の部位の各々の線量指標を計算する計算処理と、
をプロセッサに実行させるためのプログラムである。
【００１０】
本発明の第３の観点は、被検体の画像を取得する医用装置に備えられ、プロセッサによる実行が可能な１つ以上のインストラクションが格納された、非一時的でコンピュータ読取可能な記録媒体であって、前記一つ以上のインストラクションは、前記プロセッサによって実行されたときに、以下の（ａ）−（ｅ）を含む動作の実行を生じさせる、非一時的でコンピュータ読取可能な記憶媒体である。
（ａ）被検体の少なくとも一部の画像を生成すること、
（ｂ）前記画像に撮影範囲を設定すること、
（ｃ）前記撮影範囲を複数の部位に区分けすること、
（ｄ）前記複数の部位の各々が、人体に含まれる複数の部位のうちのどの部位に対応するかを特定すること
（ｅ）前記複数の部位の各々の線量指標を計算すること。
【発明の効果】
【００１１】
撮影範囲は複数の部位に区分けされるので、撮影範囲を、線量指標の管理対象となる複数の部位に分けることができる。そして、区分けされた撮影範囲の部位ごとに線量指標を計算する。したがって、撮影範囲に、線量指標の管理対象となる複数の部位が含まれていても、部位ごとの線量指標を求めることができる。
【図面の簡単な説明】
【００１２】
【図１】本発明の一形態の医用装置を含む医用情報管理システム１００を示す図である。
【図２】Ｘ線ＣＴ装置の外観図を概略的に示す図である。
【図３】Ｘ線ＣＴ装置のブロック図である。
【図４】Ｘ線ＣＴ装置の機能ブロック図である。
【図５】被検体の線量指標を管理するフローを示す図である。
【図６】スカウト画像の一例を示す図である。
【図７】本スキャンにおける撮影範囲１１の一例を示す図である。
【図８】胸部と腹部との２つの部位に区分けされた撮影範囲１１を示す図である。
【図９】ラインＬ２の位置の修正例を示す図である。
【図１０】スカウト画像１０上に表示された候補リストを示す図である。
【図１１】放射線技師８が胸部を選択した後のスカウト画像１０を示す図である。
【図１２】放射線技師８が腹部を選択した後のスカウト画像１０を示す図である。
【図１３】表示される線量レポートの一例を示す図である。
【図１４】胸部の各項目の数値および腹部の各項目の数値を表す線量レポート１３の一例を示す図である。
【図１５】略語テーブルの一例を示す図である。
【発明を実施するための形態】
【００１３】
以下、発明を実施するための形態について説明するが、本発明は、以下の形態に限定されることはない。
【００１４】
図１は、本発明の一形態の医用装置を含む医用情報管理システム１００を示す図である。
システム１００は、複数のモダリティＭ１〜Ｍａを含んでいる。複数のモダリティＭ１〜Ｍａは、Ｘ線ＣＴ装置、ＰＥＴ−ＣＴ装置など、放射線を使用して被検体の診断や治療などを行うモダリティと、ＭＲＩ装置など、放射線を使用せずに被検体の診断等を行うモダリティとを含んでいる。
【００１５】
また、システム１００は、ＰＡＣＳ（Picture Archiving and Communication Systems）１０１を有している。ＰＡＣＳ１０１は、各モダリティで得られた画像などのデータを通信網１０２を介して受信し、受信したデータを保管する。また、ＰＡＣＳ１０１は、必要に応じて、通信網１０２を介して保管したデータを転送する。
【００１６】
更に、システム１００は、複数のワークステーションＷ１〜Ｗｂを有している。これらのワークステーションＷ１〜Ｗｂは、例えば、病院情報システム（ＨＩＳ）、放射線科情報システム（ＲＩＳ）、臨床情報システム（ＣＩＳ）、心血管情報システ ム（ＣＶＩＳ）、図書館情報システム（ＬＩＳ）、電子カルテ（ＥＭＲ）システム、および／又は他の画像及び情報管理システム等で使用されるワークステーションや、読影医の検像作業に使用されるワークステーションである。
【００１７】
システム１００は上記のように構成されている。次に、モダリティの一例であるＸ線ＣＴ装置の構成の一例について説明する。
【００１８】
図２に、Ｘ線ＣＴ装置の外観図を概略的に示す。
図２に示すように、Ｘ線ＣＴ装置１は、ガントリ（gantry）２、テーブル（table）４、及び操作コンソール（console）６を備えている。
【００１９】
ガントリ２及びテーブル４はスキャンルームＲ１に設置されており、操作コンソール６は操作ルームＲ２に設置されている。
【００２０】
図３は、Ｘ線ＣＴ装置のブロック図である。
ガントリ２は、被検体４０が移動可能な空間を形成するための開口部２１を有している。
【００２１】
また、ガントリ２は、Ｘ線管２２、アパーチャ（aperture）２３、コリメータ２４、Ｘ線検出器２５、データ収集部（data acquisition system）２６、回転部２７、高電圧電源２８、アパーチャ駆動装置２９、回転部駆動装置３０、ＧＴ（Gantry Table）制御部３１などを有している。
【００２２】
Ｘ線管２２、アパーチャ２３、コリメータ２４、Ｘ線検出器２５、およびデータ収集部２６は、回転部２７に搭載されている。
【００２３】
Ｘ線管２２及びＸ線検出器２５は、ガントリ２の開口部２１を挟んで互いに対向して配置されている。
【００２４】
アパーチャ２３は、Ｘ線管２２と開口部２１との間に配置されている。アパーチャ２３は、Ｘ線管２２のＸ線焦点からＸ線検出器２５に向けて放射されるＸ線をファンビーム（fan beam）やコーンビーム（cone beam）に成形する。
【００２５】
Ｘ線検出器２５は、被検体４０を透過したＸ線を検出する。
コリメータ２４は、Ｘ線検出器２５に対してＸ線入射側に配置されており、散乱Ｘ線を除去する。
【００２６】
高電圧電源２８は、Ｘ線管２２に高電圧及び電流を供給する。
アパーチャ駆動装置２９はアパーチャ２３を駆動しその開口を変形させる。
回転部駆動装置３０は回転部２７を回転駆動する。
【００２７】
ＧＴ制御部３１は、ガントリ２内の各装置・各部、および駆動装置４３等を制御する。
【００２８】
テーブル４は、クレードル（cradle）４１、クレードル支持台４２、および駆動装置４３を有している。クレードル４１は撮影対象である被検体４０を支持するものである。クレードル支持台４２は、クレードル４１をｙ方向およびｚ方向に移動可能に支持するものである。駆動装置４３は、クレードル４１およびクレードル支持台４２を駆動するものである。尚、ここでは、被検体４０の体軸方向をｚ方向、鉛直方向をｙ方向、ｚ方向およびｙ方向に垂直な水平方向をｘ方向とする。
【００２９】
操作コンソール６は、入力装置６１、表示装置６２、記憶装置６３、処理装置６４などを有している。
【００３０】
入力装置６１は、放射線技師からの指示や情報の入力を受け付けたり、各種の操作を行うためのキーボード（keyboard）およびポインティングデバイス（pointing device）などを含んでいる。表示装置６２は、画像などの視覚情報を表示するものであり、例えば、ＬＣＤ（Liquid Crystal Display）や有機ＥＬ（Electro-Luminescence）ディスプレイなどである。
【００３１】
記憶装置６３は、プロセッサで各種処理を実行させるためのプログラムが記憶されている。また、記憶装置６３は、各種データや各種ファイルなども記憶する。記憶装置６３は、ＨＤＤ（Hard Disk Drive：ハードディスクドライブ）、ＤＲＡＭ（Dynamic Random Access Memory）、およびＲＯＭ（Read Only Memory）等を有している。また、記憶装置６３は、ＣＤ（Compact Disk）やＤＶＤ（Digital Versatile Disk）などの可搬性の記憶媒体９０を含んでいてもよい。
【００３２】
処理装置６４は、ガントリ２により取得された被検体４０のデータ（data）に基づいて画像再構成処理を行ったり、その他の各種の演算を行う。処理装置６４は一つ以上のプロセッサを有しており、一つ以上のプロセッサが、記憶装置６３に記憶されているプログラムに対応する各種処理を実行する。
【００３３】
Ｘ線ＣＴ装置１は上記のように構成されている。
【００３４】
本形態におけるＸ線ＣＴ装置１の特徴的な機能の一つは、被検体の線量レポートを作成する点にある。そこで、以下に、Ｘ線ＣＴ装置１が有する機能のうち、被検体の線量レポートの作成に特に関連する機能について説明する。
【００３５】
図４は、Ｘ線ＣＴ装置の機能ブロック図である。
Ｘ線ＣＴ装置は、以下の機能５１〜５６を実行するように構成されている。
【００３６】
画像生成部５１は、スキャンにより得られたデータに基づいて、被検体のＣＴ画像を生成する処理を実行する。
撮影範囲設定部５２は、被検体の撮影範囲を設定する処理を実行する。
区分け部５３は、撮影範囲設定部５２が設定した撮影範囲を複数の部位に区分けするための処理を実行する。区分け部５３は、例えば、撮影範囲を複数の部位に区分けするためのラインを設定する処理を実行する。このラインについては後述する。
特定部５４は、撮影範囲に含まれる各部位が、人体に含まれる複数の部位のうちのどの部位に対応するかを特定する。特定部５４は、例えば、人体に含まれる複数の部位を表すリストの中から、撮影範囲に含まれる部位を選択することにより、部位を特定することができる。このリストについては後述する。
計算部５５は、撮影範囲に含まれる部位ごとに、線量レポートに必要な各項目の数値（例えば、スキャン範囲および線量指標）を計算する。
レポート作成部５６は、計算部５５により計算された数値に基づいて、線量レポートを作成する。
【００３７】
記憶装置６３には、上記の機能ブロックの処理を表すプログラムが記憶されている。記憶装置６３は、プロセッサによる実行が可能な１つ以上のインストラクションが格納された、非一時的でコンピュータ読取可能な記録媒体とすることができる。一つ以上のインストラクションは、プロセッサによって実行されたときに、以下の（ａ）−（ｆ）を含む動作の実行を生じさせるものである。
（ａ）被検体の少なくとも一部の画像を生成すること（画像生成部５１）、
（ｂ）前記画像に撮影範囲を設定すること（撮影範囲設定部５２）、
（ｃ）前記撮影範囲を複数の部位に区分けすること（区分け部５３）、
（ｄ）前記複数の部位の各々が、人体に含まれる複数の部位のうちのどの部位に対応するかを特定すること（特定部５４）
（ｅ）前記複数の部位の各々の線量指標を計算すること（計算部５５）
（ｆ）計算された線量指標を含む線量レポートを作成すること（レポート作成部５６）。
【００３８】
尚、処理装置６４のプロセッサの代わりに、操作コンソール６内の別の装置（例えば、表示装置）のプロセッサが、上記の機能ブロックを実行してもよい。また、上記の機能ブロックの処理の全部または一部を、ガントリ２又はテーブル４に含まれるプロセッサに実行させることも可能である。
【００３９】
Ｘ線ＣＴ装置は、上記の機能を実行するように構成されている。
【００４０】
図１に示す医用情報管理システム１００は、各モダリティで得られた被検体の線量指標を、撮影範囲全体の線量指標として管理できるだけでなく、撮影範囲内の部位ごとの線量指標として管理することもできる。以下に、システム１００が線量指標を管理する方法について説明する。尚、以下では、モダリティとしてＸ線ＣＴ装置を取り上げて、被検体の線量指標を管理する例について説明するが、本発明は、Ｘ線ＣＴ装置以外の放射線を使用するモダリティ（例えば、胸部などを撮影するためのＸ線一般撮影装置や、乳房を撮影するためのマンモグラフィ撮影装置、血管を造影撮影するための血管造影撮影装置、ＰＥＴ−ＣＴ装置、又はＳＰＥＣＴ−ＣＴ装置）を用いる場合にも適用することができる。
【００４１】
図５は、被検体の線量指標を管理するフローを示す図である。
ステップＳＴ１では、放射線技師８が、被検体４０をスキャンルームＲ１に呼び入れ、被検体４０をテーブル４に寝かせる。また、放射線技師８は、被検体４０の撮影条件（例えば、管電圧，管電流，曝射時間）を設定する。
【００４２】
ステップＳＴ２では、Ｘ線ＣＴ装置に設定された撮影条件に従ってスカウトスキャンが実行される。スカウトスキャンにより得られたデータは、ガントリ２から操作コンソール６の処理装置６４（図３参照）に伝送される。処理装置６４のプロセッサは、スカウトスキャンにより得られたデータに基づいて画像再構成の処理を行い、スカウト画像を生成する。尚、処理装置６４のプロセッサは、スカウト画像を生成する処理を、画像生成部５１（図４参照）の機能によって実行する。
【００４３】
図６はスカウト画像の一例を示す図である。
スカウトスキャンにより、一般的には、アキシャル断面のスカウト画像、サジタル断面のスカウト画像、およびコロナル断面のスカウト画像を取得することができる。図６では、スカウト画像の一例として、コロナル断面のスカウト画像１０が示されている。このスカウト画像１０は、記憶装置６３（図３参照）に記憶される。スカウトスキャンを行った後、ステップＳＴ３に進む。
【００４４】
ステップＳＴ３では、放射線技師８が、本スキャンにおける撮影範囲を設定する（図７参照）。
図７は、本スキャンにおける撮影範囲１１の一例を示す図である。
放射線技師８は、入力装置６１（図３参照）を用いて、撮影範囲を設定するための操作を行う。入力装置６１は、放射線技師８の操作に対応する操作信号を入力する。処理装置６４のプロセッサは、入力装置６１から入力された操作信号に応答して、スカウト画像１０に撮影範囲１１を設定する処理を行う。また、処理装置６４のプロセッサは、表示装置６２（図３参照）に、撮影範囲１１の表示を命令する。表示装置６２は、スカウト画像１０上に撮影範囲１１を表示する。図７では、撮影範囲１１は、胸部と腹部とを含む領域を４辺１１ａ〜１１ｄで囲む範囲として示されている。撮影範囲１１のｚ方向における長さは、ｚ１に設定されている。尚、処理装置６４のプロセッサは、撮影範囲を設定する処理を、撮影範囲設定部５２（図４参照）の機能によって実行する。
【００４５】
放射線技師８は、撮影範囲１１の位置や、撮影範囲１１のｚ方向（体軸方向）における長さなどを調整したい場合は、入力装置６１を用いて、撮影範囲１１を調整するための操作を行う。撮影範囲１１の位置を調整する操作としては、例えば、放射線技師８が、撮影範囲１１内にカーソルを移動させてマウスをドラッグする操作とすることができる。また、撮影範囲１１のｚ方向における長さを調整する操作としては、例えば、放射線技師８が、撮影範囲１１の辺１１ｃ上にカーソルを移動させてマウスをドラッグする操作とすることができる。
【００４６】
放射線技師８が撮影範囲１１を調整した場合、表示装置６２は、スカウト画像１０上に調整後の撮影範囲１１を表示する。したがって、放射線技師８は、表示装置６２を見ることにより、調整後の撮影範囲１１を確認することができる。スカウト画像１０に対する撮影範囲１１の撮影範囲情報（例えば、撮影範囲１１の位置、撮影範囲１１のｚ方向における長さ）は、スカウト画像１０に対応付けて記憶装置６３に記憶される。
撮影範囲１１を設定した後、ステップＳＴ４に進む。
【００４７】
ステップＳＴ４では、放射線技師８が、線量指標を管理しておきたい部位を設定する。以下に、ステップＳＴ４について説明する。尚、ステップＳＴ４は、ステップＳＴ４１およびＳＴ４２を含んでいるので、ステップＳＴ４１およびＳＴ４２について順に説明する。
【００４８】
ステップＳＴ４１では、放射線技師８が、撮影範囲１１を、線量指標を管理しておきたい複数の部位に区分けする。
【００４９】
放射線技師８は、入力装置６１を用いて、撮影範囲１１を、線量指標を管理しておきたい複数の部位に区分けするための操作を行う。ここでは、撮影範囲１１を、胸部と腹部との２つの部位に区分けする場合について説明する。したがって、放射線技師８は、入力装置６１を用いて、撮影範囲１１を胸部と腹部との２つの部位に区分けするための操作を行う。以下に、撮影範囲１１を胸部と腹部との２つの部位に区分けする一例について説明する。
【００５０】
図８は、胸部と腹部との２つの部位に区分けされた撮影範囲１１を示す図である。
撮影範囲１１を胸部と腹部との２つの部位に区分けするために、放射線技師８は、入力装置６１を用いて、スカウト画像１０上に２本のラインＬ１およびＬ２を引くための操作を行う。スカウト画像１０上に２本のラインＬ１およびＬ２を引くための操作は、例えば、放射線技師８がラインＬ１およびＬ２を引きたい位置にカーソルを移動させてマウスをクリックする操作とすることができる。
【００５１】
処理装置６４のプロセッサは、入力装置６１から入力された操作信号に応答して、撮影範囲１１を胸部と腹部との２つの部位に区分けするためのラインＬ１およびＬ２を設定する。また、処理装置６４のプロセッサは、表示装置６２に、設定されたラインＬ１およびＬ２の表示を命令する。したがって、表示装置６２は、スカウト画像１０上に、撮影範囲１１を胸部と腹部との２つの部位に区分けするためのラインＬ１およびＬ２を表示する。尚、処理装置６４のプロセッサは、ラインＬ１およびＬ２を設定する処理を、区分け部５３（図４参照）の機能によって実行する。
【００５２】
本形態では、胸部の上端および腹部の上端にそれぞれラインＬ１およびＬ２を位置決めすることによって、撮影範囲１１を、胸部と腹部との２つの部位に区分けしている。
【００５３】
したがって、図８において、ラインＬ１と、撮影範囲１１を画定する辺１１ｂおよび１１ｄと、ラインＬ２とで囲まれる領域１１ｅが胸部を表している。また、ラインＬ２と、撮影範囲１１を画定する辺１１ｂ、辺１１ｃ、および１１ｄとで囲まれる領域１１ｆが腹部を表している。領域１１ｅのｚ方向における長さはｚ２であり、領域１１ｆのｚ方向における長さはｚ３である。
【００５４】
尚、放射線技師８は、撮影範囲１１を区分けするラインＬ１又はＬ２の位置を修正したい場合は、マウスなどを使用してラインＬ１又はＬ２の位置を手動で修正することができる（図９参照）。
【００５５】
図９は、ラインＬ２の位置の修正例を示す図である。
修正前のラインＬ２は破線で示されており、修正後のラインＬ２は実線で示されている。
【００５６】
放射線技師８は、スカウト画像１０上に表示されたラインＬ２の位置を調整したい場合、入力装置６１を用いて、ラインＬ２の位置を調整するための操作を行う。放射線技師８は、例えば、ラインＬ２上にカーソルを移動させてマウスをドラッグする操作を行うことにより、ラインＬ２を所望の位置に移動させることができる。表示装置６２は、スカウト画像１０上に修正後のラインＬ２を表示する。したがって、最初に設定したラインＬ２（破線）の位置が撮影範囲１１を胸部および腹部に区分けするのに適していない場合であっても、放射線技師８は、ラインＬ２の位置を、撮影範囲１１を胸部および腹部に区分けするのに適した位置に容易に修正することができる。
ラインＬ１およびＬ２を設定した後、ステップＳＴ４２に進む。
【００５７】
ステップＳＴ４２では、領域１１ｅが表す部位、および領域１１ｆが表す部位が、人体が有する複数の部位のうちのどの部位であるかを特定する。
以下にこの特定方法の一例について説明する。
【００５８】
放射線技師８は、先ず、入力装置６１を用いて、領域１１ｅが表す部位の候補をスカウト画像１０上に表示させるための操作を行う。この操作は、例えば、放射線技師８がカーソルをラインＬ１上に移動させてマウスをクリックする操作とすることができる。入力装置６１は、放射線技師８の操作に対応する操作信号を入力する。処理装置６４のプロセッサは、入力装置６１から入力された操作信号に応答して、表示装置６２に、領域１１ｅが表す部位の候補の表示を命令する。表示装置６２は、この命令に応答して、記憶装置６３に格納された部位の候補を表す候補リストを読み出し、読み出された候補リストを、スカウト画像１０上に表示する（図１０参照）。
【００５９】
図１０は、スカウト画像１０上に表示された候補リストを示す図である。
候補リストは複数の候補１２を含んでいる。複数の候補１２は、例えば、プルダウンメニューの形式で表示させることができる。図１０では、人体に含まれる部位を９個の部位（「頭部」、「目」、「頸部」、「肩部」、「胸部」、「腹部」、「腰椎」、「骨盤」、および「下肢」）に分け、これらの９個の部位が複数の候補１２として表示されている。尚、複数の候補１２は、図１０に示す９個の部位に限定されることはない。人体を、上記の９個の部位よりも細かく分けて、１０個以上の部位を複数の候補１２としてもよい。逆に、人体を、９個の部位よりも大まかに分けて、８個以下の部位を複数の候補１２としてもよい。
【００６０】
放射線技師８は、領域１１ｅの部位が、複数の候補１２のうちのどの部位に対応するかを特定するために、複数の候補１２の中から、領域１１ｅの部位に対応する部位を選択する。この選択を行うために、放射線技師８は、入力装置６１を用いて、複数の候補１２の中から「胸部」を選択するための操作を行う。この操作は、例えば、放射線技師８が、複数の候補１２の中の「胸部」の表示部分にカーソルを移動させてマウスをクリックする操作とすることができる。入力装置６１は、放射線技師８の操作に対応する操作信号を入力する。処理装置６４のプロセッサは、入力装置６１から入力された操作信号に応答して、複数の候補１２の中から「胸部」を選択する。また、処理装置６４のプロセッサは、表示装置６２に、複数の候補１２の中から「胸部」のみを表示することを命令する。したがって、表示装置６２は、図１１に示すように、ラインＬ１の近傍に「胸部」を表示することができる。放射線技師８は、表示装置６２に表示された図１１の画像を見ることにより、領域１１ｅの部位として、「胸部」が選択されたことを認識することができる。領域１１ｅが胸部であることを表す部位情報は記憶装置６３に記憶される。尚、処理装置６４のプロセッサは、複数の候補１２の中から「胸部」を選択する処理を、特定部５４（図４参照）の機能によって実行することができる。
【００６１】
次に、放射線技師８は、領域１１ｆがどの部位を表しているかを特定する。
この領域１１ｆの部位は、領域１１ｅの部位を特定した方法と同様の方法で特定することができる。
【００６２】
放射線技師８は、表示装置６２に、複数の候補１２を表示させる。そして、放射線技師８は、領域１１ｆの部位が、複数の候補１２のうちのどの部位に対応するかを特定するために、複数の候補１２の中から、領域１１ｆの部位に対応する部位を選択する。領域１１ｆの部位は腹部であるので、放射線技師８は、複数の候補１２の中から腹部を選択する。腹部を選択することにより、図１２に示すように、ラインＬ２の近傍に「腹部」が表示される。したがって、領域１１ｆは腹部であると特定される。そして、領域１１ｆが腹部であることを表す部位情報が記憶装置６３に記憶される。
【００６３】
このようにして、領域１１ｅおよび１１ｆの部位が特定される。部位を特定した後、ステップＳＴ５に進む。
【００６４】
ステップＳＴ５では、撮影範囲１１のＣＴ画像を取得するための本スキャンが実行される。本スキャンが実行された後、ステップＳＴ６に進む。
【００６５】
ステップＳＴ６では、処理装置６４のプロセッサが線量レポートを作成する。ここでは、線量レポートに必要な項目として、スキャン範囲と線量指標とを求めるとする。以下に、スキャン範囲と線量指標について簡単に説明する。
【００６６】
（スキャン範囲について）
本形態では、処理装置６４のプロセッサが各部位のスキャン範囲を計算する。本スキャンでは、スキャン範囲が計算される対象となる部位は、撮影範囲１１全体の部位と、放射線技師８が特定した２つの部位（胸部および腹部）との３つの部位である。尚、ここでは、スキャン範囲とは、各部位のｚ方向における長さで定義されているとする。したがって、処理装置６４のプロセッサは、撮影範囲１１全体の部位のｚ方向における長さ、胸部のｚ方向における長さ、および腹部のｚ方向における長さを計算する。撮影範囲１１全体の部位のｚ方向における長さは、放射線技師８が設定した撮影範囲１１のｚ方向における長さｚ１（図７参照）に基づいて計算することができる。また、胸部および胸部のｚ方向における長さは、それぞれ、領域１１ｅおよび１１ｆのｚ方向における長さｚ２およびｚ３（図８参照）に基づいて計算することができる。処理装置６４のプロセッサは、各部位のスキャン範囲を計算する処理を、計算部５５（図４参照）の機能により実行することができる。尚、ここでは、スキャン範囲とは、各部位のｚ方向における長さで定義されているが、スキャン範囲を各部位のｚ方向における長さとｘ方向における長さとの両方の長さで定義してもよい。
【００６７】
（線量指標について）
本形態では、処理装置６４のプロセッサが撮影範囲１１全体の部位の線量指標と、放射線技師８が特定した２つの部位（胸部および腹部）の線量指標とを計算する。線量指標としては、例えば、ＣＴＤＩvol（volume ＣＴＤＩ）、ＤＬＰ（Dose Length Product）であるが、ＣＴＤＩvolおよびＤＬＰ以外の線量指標（例えば、ＥＩ）を計算してもよい。これらの線量指標は、既知の方法で計算することができる。処理装置６４のプロセッサは、各部位の線量指標を計算する処理を、計算部５５（図４参照）の機能により実行することができる。
【００６８】
スキャン範囲および線量指標を計算したら、処理装置６４のプロセッサは、スキャン範囲および線量指標を含む線量レポートを作成する。処理装置６４のプロセッサは、レポートを作成する処理を、レポート作成部５６（図４参照）の機能により実行することができる。レポートを作成した後、ステップＳＴ７に進む。
【００６９】
ステップＳＴ７では、Ｘ線ＣＴ装置（モダリティＭ１）から、ＤＩＣＯＭ画像および線量レポートなどがＰＡＣＳ１０１（図１参照）に送信される。ＰＡＣＳ１０１は、これら画像および線量レポートを保存する。
【００７０】
このようにして、フローが終了する。
【００７１】
以上説明したように、本形態では、線量レポートがＰＡＣＳ１０１に保存されている。したがって、放射線技師８は必要に応じて、ＰＡＣＳ１０１から線量レポートを読み出し、Ｘ線ＣＴ装置１の表示装置６２に表示させることができる（図１３参照）。
【００７２】
図１３は、表示される線量レポートの一例を示す図である。
線量レポート１３には、本スキャンに関する線量情報が含まれている。尚、スカウトスキャンの線量は微量であるので、図１３では、スカウトスキャンに関する線量レポート１３の各項目の数値は省略されている。
【００７３】
図１３では、本スキャンとして、２つのアキシャル（Axial）スキャンと、２つのスマートビュー（Smart View）スキャンとが実行された例が示されている。これらのスキャンの右側には、線量レポート１３の項目に含まれているスキャン範囲（Scan Range）と２つの線量指標（ＣＴＤIvolおよびＤＬＰ）の数値が示されている（尚、図１３では、各項目の数値は「ｘｘｘ」で示されているが、実際には、ステップＳＴ６で計算された数値が示される）。
【００７４】
したがって、放射線技師８は、線量レポート１３を見ることにより、本スキャンの線量レポート１３の各項目の数値を確認することができる。また、放射線技師８は、スキャンごとに、放射線技師８がステップＳＴ４２で特定した２つの部位（胸部および腹部）の各項目の数値を確認することもできる（図１４参照）。
【００７５】
図１４は、胸部の各項目の数値および腹部の各項目の数値を表す線量レポート１３の一例を示す図である。
【００７６】
放射線技師８は、例えば、本スキャンで実行された最初のアキシャルスキャンに対する胸部および腹部の各項目の数値を確認したい場合、入力装置６１を用いて、最初のアキシャルスキャンの詳細情報を読み出すための操作を行う。入力装置６１は、放射線技師８の操作に応じた操作信号を入力する。処理装置６４のプロセッサは、入力装置６１から入力された操作信号に応答して、表示装置６２に、最初のアキシャルスキャンの詳細情報の表示を命令する。表示装置６２は、その命令に応答して、線量レポート１３の中に、図１４に示すように、最初のアキシャルスキャンの詳細情報を表示する。図１４では、最初のアキシャルスキャンを表す「Axial」の下に、「ＣＨ」および「ＡＢ」が表示されている。「ＣＨ」は「ＣＨＥＳＴ」の略語であり、「胸部」を表している。また、「ＡＢ」は「ＡＢＤＯＭＥＮ」の略語であり、「腹部」を表している。したがって、放射線技師８は、撮影範囲１１の全体の線量指標の数値だけでなく、胸部および腹部の部位ごとの線量指標の数値を確認することができるので、被検体４０の被曝線量を、より詳細に管理することができる。
【００７７】
尚、処理装置６４のプロセッサは、線量レポート１３に含まれる略語と部位との関係を表す略語テーブルを生成し、ＰＡＣＳ１０１に送信されるデータに、略語テーブルを含めるようにしてもよい（図１５参照）。
【００７８】
図１５は、略語テーブルの一例を示す図である。
略語テーブル１４には、略語「ＨＤ」、「ＥＲ」、「ＮＫ」、「ＳＨ」、「ＣＨ」、「ＡＢ」、「ＬＳ」、「ＰＶ」、および「ＬＥ」が示されている。「ＨＤ」、「ＥＲ」、「ＮＫ」、「ＳＨ」、「ＣＨ」、「ＡＢ」、「ＬＳ」、「ＰＶ」、および「ＬＥ」は、それぞれ、頭部、眼、頸部、肩部、胸部、腹部、腰椎、骨盤、および下肢を表している。
【００７９】
放射線技師８は、略語テーブル１４を見ることにより、線量レポート１３に示されている各部位の略語が被検体４０のどの部位を表しているのかを確認することができる。
【００８０】
尚、本発明は、上記の形態に限定されることはなく、種々の追加、変更等が可能である。
【００８１】
例えば、本形態では、ラインＬ１およびＬ２を使用して、撮影範囲１１を、線量指標の管理対象である複数の部位として区別している。しかし、ラインＬ１およびＬ２を用いずに、撮影範囲１１を複数の部位に区分けしてもよい。例えば、ラインＬ１およびＬ２の代わりに、線量指標の管理対象である複数の部位の各々を個別に囲む枠を設定し、当該枠で囲まれた領域を線量管理の対象部位として特定してもよい。このような枠は、任意の形状の枠を使用することができ、例えば、矩形状の枠や円形状の枠を使用することができる。
【００８２】
また、本形態では、ステップＳＴ３において、放射線技師８が撮影範囲を設定している。しかし、被検体４０の撮影対象部位がどこであるのかは、被検体４０の検査を開始する前から予めわかっている情報である。そこで、放射線技師８が撮影範囲を設定する代わりに、処理装置６４のプロセッサが自動的に撮影範囲を設定することも可能である。撮影範囲の自動設定の方法は、例えば、以下のような手順（ｓ１）−（ｓ３）で行うことができる。
【００８３】
（ｓ１）処理装置６４のプロセッサが、今回の検査での被検体４０の撮影対象部位がどこであるのかを特定する。一般的には、ＲＩＳやＨＩＳなどで管理されているデータには、被検体４０のどの部位が撮影対象部位であるのかを特定するデータが含まれている。したがって、処理装置６４のプロセッサは、ＲＩＳやＨＩＳで管理されているデータから、被検体４０の撮影対象部位を特定することができる。つまり、処理装置６４のプロセッサは、ＲＩＳやＨＩＳで管理されているデータから、胸部と腹部を撮影対象部位としていることがわかる。
【００８４】
（ｓ２）次に、処理装置６４のプロセッサが、スカウト画像１０に描出されている部位の中から、（ｓ１）で特定した撮影対象部位を検出する。この検出方法としては、例えば、画像に描出されている個々の臓器をセグメントする既知のセグメンテーション法などを用いることができる。処理装置６４のプロセッサは、スカウト画像１０に描出されている部位のセグメンテーションを行い、セグメントされた部位を解析することにより、今回の撮影対象部位を検出することができる。尚、ＡＩ技術を使用して、今回の撮影対象部位を検出してもよい。
【００８５】
（ｓ３）最後に、処理装置６４のプロセッサが、スカウト画像１０などのＣＴ画像に描出されている人体領域の中から、検出された複数の撮影対象部位（例えば、胸部および腹部）が占める領域を特定し、この特定した領域を囲む範囲を、撮影範囲として設定する。
【００８６】
（ｓ１）−（ｓ３）の手順によれば、放射線技師８が手動で撮影範囲を設定しなくてもよいので、放射線技師８の作業負担を軽減することができる。
【００８７】
また、本形態では、放射線技師８がラインＬ１およびＬ２を手動で設定している。しかし、処理装置６４のプロセッサが、スカウト画像１０などのＣＴ画像から撮影対象部位を検出し、検出された撮影対象部位の位置情報に基づいて、ラインＬ１およびＬ２を自動的に設定してもよい。
【００８８】
更に、本形態では、放射線技師８が複数の候補１２の中から、領域１１ｅおよび１１ｆに対応する部位を選択している。しかし、処理装置６４のプロセッサは、ＲＩＳやＨＩＳなどで管理されているデータから、被検体４０のどの部位が撮影対象部位であるのかを特定することが可能であるので、処理装置６４のプロセッサが、領域１１ｅおよび１１ｆに対応する部位を自動的に特定してもよい。
【００８９】
また、本形態では、被検体４０の胸部および腹部を撮影範囲に含めた例について説明されている。しかし、撮影範囲は、胸部および腹部を含む範囲に限定されることはなく、胸部および腹部とは別の部位を含む範囲を撮影範囲として設定してもよい。
【符号の説明】
【００９０】
１  Ｘ線ＣＴ装置
２  ガントリ
４  テーブル
６  操作コンソール
８  放射線技師
１０  スカウト画像
１１  撮影範囲
１１ａ〜１１ｄ  辺
１１ｅ、１１ｆ  領域
１２  候補
１３  線量レポート
１４  略語テーブル
２１  開口部
２２  Ｘ線管
２３  アパーチャ
２４  コリメータ
２５  Ｘ線検出器
２６  データ収集部
２７  回転部
２８  高電圧電源
２９  アパーチャ駆動装置
３０  回転部駆動装置
３１  ＧＴ制御部
４０  被検体
４１  クレードル
４２  クレードル支持台
４３  駆動装置
５１  画像生成部
５２  撮影範囲設定部
５３  区分け部
５４  特定部
５５  計算部
５６  レポート作成部
６１  入力装置
６２  表示装置
６３  記憶装置
６４  処理装置
１００  医用情報管理システム
１０１  ＰＡＣＳ（Picture Archiving and Communication Systems）
１０２  通信網
【要約】      （修正有）【課題】撮影範囲内の部位ごとに線量指標を管理できる技術を提供する。【解決手段】被検体のスカウト画像１０を生成する画像生成手段と、スカウト画像に撮影範囲１１を設定する設定手段と、撮影範囲を２つの部位に区分けする区分け手段と、２つの部位の各々が、人体に含まれる複数の部位のうちのどの部位に対応するかを特定する特定手段と、２つの部位の各々の線量指標を計算する計算手段と、を有するＸ線ＣＴ装置。【選択図】図１０【図１】
0006841894.tif 000002
【図２】
0006841894.tif 000003
【図３】
0006841894.tif 000004
【図４】
0006841894.tif 000005
【図５】
0006841894.tif 000006
【図６】
0006841894.tif 000007
【図７】
0006841894.tif 000008
【図８】
0006841894.tif 000009
【図９】
0006841894.tif 000010
【図１０】
0006841894.tif 000011
【図１１】
0006841894.tif 000012
【図１２】
0006841894.tif 000013
【図１３】
0006841894.tif 000014
【図１４】
0006841894.tif 000015
【図１５】
0006841894.tif 000016